(57)【特許請求の範囲】
【請求項１】
撮影機構を備えたユニット本体に製造時に写真フイルムを装填したレンズ付きフイルムユニットにおいて、
前記写真フイルムとして露光範囲外の一方の縁に所定の光学的なマークを予め写し込んであるものを用い、１コマ撮影する毎に撮影コマの露光範囲外の他方の縁に所定の光学的なマークを写し込み、前記予め写し込まれているマークと前記１コマ撮影する毎に写し込まれるマークとの組み合わせによって各撮影コマ毎のプリント条件を指定することを特徴とするレンズ付きフイルムユニット。
【発明の詳細な説明】
【０００１】
【発明の属する技術分野】
本発明は、プリント条件を指定可能なレンズ付きフイルムユニットに関するものである。
【０００２】
【従来の技術】
標準サイズとパノラマサイズとを切り替えて撮影できるようにしたレンズ付きフイルムユニットが市販されている。このレンズ付きフイルムユニットでは、露光ユニットの後部に外部からの操作によって回動される２枚の遮光板を設け、パノラマサイズの撮影時には露光範囲の幅を狭めるようにしてある。また、近接撮影用のレンズを光軸に出し入れすることにより、標準撮影とマクロ撮影とを切り換えできるようにしたレンズ付きフイルムユニットも市販されている。
【０００３】
一方、写真フイルムの全ベース面に透明な磁気記録層を設けた写真フイルムカートリッジを用いるカメラでは、露光範囲は同じでも、プリント条件を磁気記録層に磁気記録しておくことにより、任意の撮影コマをＨタイプやＰタイプ等の異なるアスペクト比でプリント処理するように自動的に指示できるものが市販されている。
【０００４】
【発明が解決しようとする課題】
ところで、手軽に撮影ができる１台のレンズ付きフイルムユニットで、より多様なプリントサービスが受けられるようにしてほしいという要望が多く出ている。ところが、上述したようなレンズ付きフイルムユニットでは、切り換え機構にコストがかかるので、現状以上に切り換え機構を複雑にすることは不可能である。そこで、レンズ付きフイルムユニットに上述したカメラと同様の磁気記録機構を設けることも考えられるが、ローコストであることが至上命令であるレンズ付きフイルムユニットに高価な磁気記録機構を設けるのは、事実上不可能である。
【０００５】
本発明は、上記各問題を解決するためのもので、コスト高にすることなく、より多様なプリントサービスが受けられるレンズ付きフイルムユニットを提供することを目的とする。
【０００６】
【課題を解決するための手段】
上記問題点を解決するために、本発明のレンズ付きフイルムユニットは、撮影機構を備えたユニット本体に製造時に写真フイルムを装填したレンズ付きフイルムユニットにおいて、前記写真フイルムとして露光範囲外の一方の縁に所定の光学的なマークを予め写し込んであるものを用い、１コマ撮影する毎に撮影コマの露光範囲外の他方の縁に所定の光学的なマークを写し込み、前記予め写し込まれているマークと前記１コマ撮影する毎に写し込まれるマークとの組み合わせによって各撮影コマ毎のプリント条件を指定するものである。
【０００８】
【発明の実施の形態】
図２において、本発明のレンズ付きフイルムユニット１は、撮影機構を備え、予め写真フイルムを装填したユニット本体２と、これをのり巻き状に覆う外装ラベル３とから構成され、標準サイズのプリントの他、２倍または３倍の倍率で擬似的にズーミング撮影したプリント写真が得られるようにしたものである。
【０００９】
外装ラベル３には、撮影レンズ４，ファインダ窓５等を露呈させるための開口等が形成され、また、前面側には本レンズ付きフイルムユニット１の特徴を表す「ズーム」の文字１０が印刷されている。ユニット本体２の前部には、撮影レンズ４，ファインダ窓５の他、ストロボ発光部６が設けられ、上部には、シャッタボタン７，フイルムカウンタ窓８、また背面部には巻上げノブ９が設けられている。
【００１０】
図３に示すように、レンズ付きフイルムユニット１の背面には、撮影する前にプリントサイズを決めるための選択操作部材１２が設けられている。プリントサイズは、例えば同図に示す指標×１，×２，×３のように、標準サイズ，中央部を２倍に拡大する２倍ズーム，中央部を３倍に拡大する３倍ズームの３種類があり、撮影をする前に選択操作部材１２を所望する指標に合わせておくことにより、撮影ごとに写真フイルムの撮影コマの範囲外の縁に、選択操作に対応した光学的なマークが記録される。
【００１１】
図１に示すように、ユニット本体２は、前カバー１３、本体基部１４、露光ユニット１５、ストロボユニット１６、写真フイルムカートリッジ１７、及び後カバー１８とで構成されている。本体基部１４には、アパーチャ１９を挟んだ一方側にカートリッジ２０が収納されるカートリッジ収納室２１が、また他方側にカートリッジ２０から写真フイルム２２をロール状に引き出したフイルムロール２２ａを収納するフイルムロール室２３がそれぞれ一体に設けられている。
【００１２】
後カバー１８には、カートリッジ収納室２１とフイルムロール室２３との底を塞ぐためのプルトップ式の底蓋１８ａ，１８ｂがそれぞれ設けられている。後カバー１８を取り付けた後に、これらの底蓋１８ａ，１８ｂで各室２１，２３の底を塞ぐことで写真フイルムカートリッジ１７が本体基部１４との間で光密に収納される。カートリッジ収納室２１の底を塞ぐ底蓋１８ａは、現像所で撮影済みの写真フイルム２２を収納したカートリッジ２０を取り出すときに開かれる蓋である。
【００１３】
カートリッジ収納室２１の上には、巻上げノブ９が回転自在に設けられている。巻上げノブ９は、一部が後カバー１８の開口２５から露呈している。フイルム巻き上げ操作を行うと、未露光の写真フイルム２２がフイルムロール室２３から引き出されてアパーチャ１９にセットされ、これと同時に露光済みの写真フイルム２２がカートリッジ２０の内部に収納される。
【００１４】
シャッタボタン７は、前カバー１３の上面に一部を切り欠いて弾性自在に設けられており、押下操作により露光ユニット１５のシャッタ機構を作動させる。シャッタ機構は、シャッタ開口の前面でシャッタ羽根が一揺動するタイプである。シャッタ羽根が揺動すると、被写体光が前カバー１３の撮影窓１３ａ、及び、露光ユニット１５の撮影レンズ４を通った被写体光がシャッタ開口を通ってアパーチャ１９にセットされた写真フイルム２２に入射する。シャッタ開口とアパーチャ１９との間は、露光ユニット１５に設けた暗箱３０により暗室とされている。
【００１５】
ストロボユニット１６は、電源回路、ストロボ充電回路、及びストロボ発光回路等をもったストロボ基板３１に、メインコンデンサ３２、電源電池３３、シンクロスイッチ３４、及びストロボ発光部６等を一体的に取り付けたユニット部品である。この例の電源電池３３としては、単三電池である。
【００１６】
前カバー１３の前面に設けたストロボ充電ボタン３６を押圧操作すると、ストロボ充電回路が閉鎖され、電源電池３３の電圧を昇圧してメインコンデンサ３２に充電を行う。その後、シャッタレリーズに応答してシャッタ羽根が全開したときに、シンクロスイッチ３４がオンしてトリガー信号がストロボ発光部６の内部の放電管に与えられ、これに応答してメインコンデンサ３２に蓄積された充電電圧により放電管が発光し、ストロボ発光部６からストロボ光が照射され、このストロボ光が前カバー１３のストロボ発光窓３７を通って被写体を照明する。
【００１７】
このストロボ基板３１には、光学マーク記録機構を構成する電球３８と、点灯制御用スイッチ３９とが取り付けられている。電球３８は、光学マークを写し込むための光源である。点灯制御用スイッチ３９は、電球３８の点灯時間を制御するためのスイッチであり、電球３８とともに点灯回路を構成している。
【００１８】
点灯回路は、点灯制御用スイッチ３９がオンすることに応答して電球３８に所定量以上の電流を流して電球３８を点灯させる回路であり、ストロボ基板３１に設けられている。また、ストロボ基板３１には、予備加熱用回路も設けられている。予備加熱用回路は、シャッタボタン７の半押し操作に応答して電球３８に所定量以下の電流を流して電球３８のフィラメントを予備加熱する。シャッタボタン７の半押し操作の検出手段は、シャッタボタン７の下面に取り付けられており、前カバー１３を本体基部１４に取り付けることでストロボ基板３１の予備加熱用回路に着脱自在に接続される。
【００１９】
図４に示すように、写真フイルム２２の露光範囲２２ｄ外の上下縁には、細長い第１マークエリア２２ｅ，第２マークエリア２２ｆがそれぞれ設けられている。大小２種類のパーフォレーション２２ｂ，２２ｃが形成された一方の縁に沿って設けられた第１マークエリア２２ｅには、縁に沿ってライン状に並列された例えば０個〜３個のドットからなる第１の光学マーク６１が予め写し込まれている。また、前記他方の縁に沿って設けられた第２マークエリア２２ｆには、前記電球３８によって、縁に沿ってライン状に並列された例えば０個〜２個のドットからなる第２の光学マーク６２が撮影時に写し込まれる。
【００２０】
前記第１, 第２の光学マーク６１，６２の組み合わせによって、プリント条件が下記の表1 に示すように決められている。なお、本実施形態では疑似ズームを行うから、第１マークエリア２２ｅには、予め１個のドットからなる第１の光学マーク６１が写し込まれている。
【００２１】
【表１】
0003724768.tif 000002
【００２２】
現像取扱店ではプリント直前に、図５に示すように、写真フイルム２２の第１マークエリア２２ｅ，第２マークエリア２２ｆをそれぞれ例えば反射型等のセンサ６４，６５でサーチし、検出した光学マーク６１，６２の組み合わせからプリント条件を特定する。本実施形態では、予め第１マークエリア２２ｅに１個のドットからなる光学マーク６１が写し込まれているから、上記表１に示すように、第２マークエリア２２ｆに写し込まれた光学マーク６２のドット数に応じて「標準プリント」，「２倍プリント」，「３倍プリント」のうちいずれかのプリント条件が特定される。なお、センサ６４は、従来から設けられているパーフォレーション検出用センサを光学マーク検出用に兼用したものであり、新たな設備投資が少なくて済むという利点もある。
【００２３】
露光ユニット１５は、撮影レンズ４、シャッタ機構、フイルム巻き止め機構、シャッタチャージ機構、及びフイルムカウンタ機構等をユニット化したものであり、図６に示すように、シャッタ羽根４０、スプロケット４１、シャッタ駆動レバー４２、係止レバー４３、チャージカム４４、巻止めカム４５、及び枚数表示板４６等で構成されている。
【００２４】
スプロケット４１には、写真フイルム２２のパーフォレーション２２ｂ，２２ｃに係合する複数の歯が設けられており、写真フイルム２２の１コマ分の巻上げ移送により半回転される。巻き上げ移送方向は、同図に示す矢印方向である。
【００２５】
スプロケット４１の回転は、チャージカム４４及び巻止めカム４５に伝達され、１コマ分の巻上げ移送により係止レバー４３が巻き止め位置に回転する。巻き止め位置に回転すると、係止レバー４３が巻止めカム４５と巻上げノブ９とに係合してスプロケット４１の回転と巻上げノブ９の回転操作とを阻止する。そして、この間のチャージカム４４の回転によりシャッタ駆動レバー４２がチャージ位置にチャージされ、巻き止め位置にある係止レバー４３がこの位置で保持される。また、この間の巻止めカム４５の回転を利用して二歯ギヤ４７が枚数表示板４６を一目盛り分だけ歩進させる。
【００２６】
シャッタボタン７がストロークのほぼ全部で押下操作されると、シャッタボタン７の下部に一体に設けたロッド棒７ａが係止レバー４３を押して係止レバー４３を巻き止め位置から巻き止め解除位置に回転させる。これにより係止レバー４３はシャッタ駆動レバー４２の保持を解除し、シャッタ駆動レバー４２がチャージバネ４９の付勢によりチャージ位置から瞬時にレリーズ完了位置に向けて回転する。この間の回転中にシャッタ駆動レバー４２の蹴飛ばしアーム４２ａがシャッタ羽根４０の一端４０ａを蹴飛ばす。
【００２７】
シャッタ羽根４０は、軸４０ｂを中心に回転自在に設けられており、軸４０ｂを挟んで一端４０ａとは逆側にシャッタ開口５０を遮蔽する遮蔽部４０ｃが設けられている。一端４０ａが蹴飛ばされると遮蔽部４０ｃがシャッタ開口５０を開く開き位置に回転し、その後は引き戻しバネ５１の付勢により遮蔽部４０ｃがシャッタ開口５０を塞ぐ閉じ位置に戻される。一端４０ａの近傍には、シンクロスイッチ３４が位置している。シンクロスイッチ３４は、シャッタ羽根４０が開き位置のときに突起部４０ｄで上側の接片が押されて下側の接片に接触してオンする。
【００２８】
シンクロスイッチ３４の上には、点灯制御用スイッチ３９が位置している。点灯制御用スイッチ３９も、シンクロスイッチ３４と同じに、２つの接片をシャッタ羽根４０の回転方向に沿って並べた構成としてある。シンクロスイッチ３４との違いは、この点灯制御用スイッチ３９が、シャッタ羽根４０が閉じ位置のときに突起部４０ｄで上側の接片が下側の接片から離れた状態で保持され、シャッタ羽根４０の揺動に応答して突起部４０ｄが退避することで上側の接片が下側の接片に接触してオンし、シャッタ羽根４０の開閉中はこのオン状態が保持される形態、すなわち無負荷時において互いが接した形態とされていることである。
【００２９】
この点灯制御用スイッチ３９は、上側の接片の先端部分が蹴飛ばしアーム４２ａの移動路内に位置し、且つ突起部４０ｄの回転軌跡の内側に入り込む長さで、また、下側の接片は突起部４０ｄの回転軌跡の外側までの長さとされている。これにより、点灯制御用スイッチ３９は、シャッタ羽根４０の開き動作に連動して突起部４０ｄが退避することでオンする。その後、シャッタ羽根４０が閉じ位置に戻るよりも先にシャッタ駆動レバー４２がレリーズ完了位置に到達し、このときに蹴飛ばしアーム４２ａで上側の接片の先端が持ち上げられることでオフする。したがってスイッチ３９は、シャッタ羽根４０の突起部４０ｄと蹴飛ばしアーム４２ａとともに、点灯制御用スイッチ手段を構成している。
【００３０】
このように、オフするときには、蹴飛ばしアーム４２ａで持ち上げられるため、上側の接片の先端は、蹴飛ばしアーム４２ａをもぐり込ますために、下側の接片側とは逆の方向に向けて湾曲した形態とされている。このようにすることで、蹴飛ばしアーム４２ａが上側の接片の先端に衝突することを防止でき、且つシャッタ羽根４０が閉じ位置に戻ったときに突起部４０ｄが上側の接片に当接してシャッタ羽根４０をバウンドさせてしまう不都合を確実に防止することができる。
【００３１】
シャッタ羽根４０の開閉時間は、シャッタ駆動レバー４２の蹴飛ばし力と引き戻しバネ５１の付勢力とで決まる。しかも、蹴飛ばしアーム４２ａの移動量も決まっている。したがって、点灯制御用スイッチ３９は、シャッタ羽根４０の開閉に連動してオンする時間が一定となる。
【００３２】
なお、符号５３は、シャッタボタン７の下面に取り付けた半押し操作検出用のスイッチである。このスイッチ５３は、２つの接片をシャッタボタン７の押下操作方向に沿って並べた構成とされている。上側の接片は、シャッタボタン７の下面に固定されており、下側の接片は、シャッタボタン７がストロークの略半分まで押下操作されたときに、上側の接片が接触する位置に配置されている。
【００３３】
暗箱３０の下方には、別の遮光箱５２が形成されている。この遮光箱５２は、露光ユニット１５に設けられており、内部には電球３８、光学マーク写し込み板５５、及び、切り換え板５４とが内蔵されている。光学マーク写し込み板５５には、２つの穴がフイルム給送方向に並んで形成されている。
【００３４】
切り換え板５４は、光学マーク写し込み板５５の前面でフイルム給送方向に移動自在に組み込まれており、後カバー１８の背面に露呈された選択操作部材１２に連結されている。この切り換え板５４には、選択操作部材１２の選択操作に応じて移動することで、光学マーク写し込み板５５の２つの穴のうち何れか一方、又は両方の穴を露呈させる開口がそれぞれ形成されているとともに、両方の穴を塞ぐ部位が設けられている。
【００３５】
ストロボ基板３１に組み込まれた点灯回路と予備加熱用回路とを示す図７において、点灯回路は、電源電池３３、点灯制御用スイッチ３９、及び電球３８とを直列に接続した回路とされている。予備加熱用回路は、電源電池３３を兼用しており、先行スイッチ５３とこれに直列に接続された抵抗素子Ｒとを、点灯制御用スイッチ３９に対して並列に接続して構成されている。
【００３６】
周知のように、電球３８は、通電されることでフィラメントが加熱され、フィラメントが発光温度まで達することで点灯する。抵抗素子Ｒは、発光温度に達しない温度でフィラメントを加熱する分の電流に抑える抵抗値に予め決められている。
【００３７】
次に上記作用を簡単に説明する。撮影完了後の状態では、点灯制御用スイッチ３９の上側の接片が蹴飛ばしアーム４２ａで持ち上げられおり、点灯制御用スイッチ３９が電気的にオフしている。
【００３８】
フイルム巻き上げ操作は、巻上げノブ９をフイルム巻き上げ方向に回転する。これにより、未露光の写真フイルム２２がフイルムロール２２ａから引き出されてアパーチャ１９に向けて移送される。このフイルム移送によってスプロケット４１が回転してシャッタ機構のチャージが行われる。
【００３９】
シャッタ機構のチャージにより、蹴飛ばしアーム４２ａはチャージ位置に移動され、点灯制御用スイッチ３９の上側の接片の先端から退避するが、突起部４０ｄが点灯制御用スイッチ３９の上側の接片をそのまま保持するから、点灯制御用スイッチ３９は電気的にオフした状態で保持される。
【００４０】
フイルム巻き上げ操作により写真フイルム２２が１コマ分の長さだけ移送されると、フイルム巻き止め機構が作動してスプロケット４１の回転と巻上げノブ９の巻き上げ操作とが阻止される。
【００４１】
撮影者は、撮影を行う前に、プリント条件である「標準プリント」，「２倍プリント」，「３倍プリント」のうちいずれかを選択し、所望する位置に選択操作部材１２を選択操作する。そして、ストロボ撮影のときには、ストロボ充電ボタン３６を押下操作してストロボ充電を行った後に、シャッタボタン７を押下操作して撮影を行う。
【００４２】
シャッタボタン７がストロークのほぼ半分まで押下操作されると、先行スイッチ５３がオンする。これにより、予備加熱用回路が作動して電球３８のフィラメントが予備加熱される。このとき、抵抗素子Ｒにより発光温度まで上昇させるだけの電流がフィラメントに流れないから、電球３８が点灯することはない。また、このとき、シャッタ羽根４０は、未だ閉じ位置にある。したがって、突起部４０ｄが点灯制御用スイッチ３９の上側の接片を持ち上げているから、点灯制御用スイッチ３９のオフが継続されている。
【００４３】
シャッタボタン７がストロークのほぼ全部まで押下操作されると、ロッド棒７ａが係止レバー４３を巻き止め解除位置に向けて回転させる。これにより、シャッタ駆動レバー４２の保持が解除され、シャッタ駆動レバー４２がチャージ位置からレリーズ完了位置に向けて瞬時に回転する。この回転途中で蹴飛ばしアーム４２ａがシャッタ羽根４０の一端４０ａを蹴飛ばしてシャッタ羽根４０を一揺動させる。
【００４４】
シャッタ羽根４０は、一端４０ａが蹴飛ばされることで、軸４０ｂを中心として時計方向に回転する。この回転の初期に突起部４０ｄが点灯制御用スイッチ３９の上側の接片から退避する。これにより、点灯制御用スイッチ３９の上側の接片が自身の弾性により元の位置に戻り、下側の接片に接触する。このとき、点灯制御用スイッチ３９がオンする。フィラメントは、前述したように、シャッタレリーズの前に予め予備加熱されているから、点灯制御用スイッチ３９がオンすると同時に発光温度に達し、電球３８が瞬時に点灯する。
【００４５】
シャッタ羽根４０がシャッタ開口５０を全開したときには、シンクロスイッチ３４をオンし、ストロボ光が発光する。その後は引き戻しバネ５１の付勢によりシャッタ羽根４０が軸４０ｂを中心として反時計方向に回転する。そして、シャッタ羽根４０が閉じ位置に戻るよりも先に、蹴飛ばしアーム４２ａが点灯制御用スイッチ３９の上側の接片を押し上げ、これを下側の接片から離すため、点灯制御用スイッチ３９がオフする。このとき、電球３８が消灯される。
【００４６】
この間の電球３８の点灯により、電球３８から放たれた光が切り換え板５４、及び光学マーク写し込み板５５との開口及び穴を通って写真フイルム２２の第２マークエリア２２ｆに光学マーク６２として写し込まれる。この光学マーク６２は、常に一定なシャッタ羽根の開閉動作及び蹴飛ばしアーム４２ａの移動とに点灯制御用スイッチ３９が連動し、しかも点灯開始タイミングにもタイムラグがほとんどないから、常に適正な露出で写し込まれる。
【００４７】
以下同様にして全てのコマが撮影されたレンズ付きフイルムユニット１を現像取扱店に提出すると、外装ラベル３が剥がされた後、底蓋１８ａが開けられ、撮影済みの写真フイルム２２が収納された写真フイルムカートリッジ１７がカートリッジ収納室２１から取り出される。
【００４８】
写真フイルムカートリッジ１７は、自動現像処理機にかけられ、写真フイルム２２が現像される。次に、現像済みの写真フイルム２２がプリンタにセットされると、図５に示すように、センサ６４，６５によって各撮影コマ毎に第１マークエリア２２ｅ，第２マークエリア２２ｆがソートされ、光学マーク６１，６２の組み合わせに応じたプリント条件でプリント処理が行われる。
【００４９】
本実施形態では、全ての撮影コマで光学マーク６１のドット数が１個であるから、光学マーク６２が０個の場合には通常の倍率でプリントする「標準プリント」で、また１個の場合には露光範囲２２ｄの中央部を２倍に拡大プリントする「２倍プリント」で、また２個の場合には露光範囲２２ｄの中央部を３倍に拡大プリントする「３倍プリント」で、それぞれプリント処理を行う。なお、「２倍プリント」，「３倍プリント」は、露光範囲２２ｄの中央画像のみを拡大するものであって、印画紙サイズは「標準プリント」と同じである。
【００５０】
以上説明した実施形態では、プリント条件として標準，２倍，３倍のプリント処理を行う疑似ズームのプリント条件を採用したが、上記表１に示す他のプリント条件、例えばカラー，セピア，黒白のプリント条件を採用してもよいのは勿論である。
【００５１】
上記実施形態では、写真フイルムの第１マークエリアに予め所定の光学マークを写し込んでおいたが、電球を２個にして、第１マークエリアにも撮影時に所望の光学マークを写し込むようにしてもよい。これにより、より多様なプリントサービスを受けることができるようになる。また、さらに電球を３個以上にしたり、予め写真フイルムに写し込む光学マークを２種類にしてもよい。
【００５２】
また、写真フイルムの前面から光学マークを写し込む構造にしているが、本発明ではこれに限らず、写真フイルムの背面側から光学マークを写し込むようにしてもよい。
【００５３】
【発明の効果】
以上説明したように、本発明のレンズ付きフイルムユニットによれば、写真フイルムとして露光範囲外の一方の縁に所定の光学的なマークを予め写し込んであるものを用い、１コマ撮影する毎に撮影コマの露光範囲外の他方の縁に所定の光学的なマークを写し込み、各縁に写し込まれたマークの組み合わせによってプリント条件を指定するようにしたので、簡単な構成でローコストに１台のレンズ付きフイルムユニットで多様なプリントサービスを受けることができる。
【図面の簡単な説明】
【図１】本発明に係るユニット本体の分解斜視図である。
【図２】レンズ付きフイルムユニットの外観を示す斜視図である。
【図３】レンズ付きフイルムユニットの背面を示した斜視図である。
【図４】写真フイルムに設けた第１，第２マークエリアを示す平面図である。
【図５】光学マークを検出する様子を示す斜視図である。
【図６】シャッタ機構と光学マークの写し込み機構等の概略を示す斜視図である。
【図７】電球の点灯回路と予備加熱用回路とを示した回路図である。
【符号の説明】
１  レンズ付きフイルムユニット
２  ユニット本体
１２  選択操作部材
２２  写真フイルム
２２ｄ  露光範囲
２２ｅ  第１マークエリア
２２ｆ  第２マークエリア
３８  電球
３９  点灯制御用スイッチ
５３  先行スイッチ
５４  切り換え板
５５  光学マーク写し込み板
６１，６２  光学マーク
【図１】
0003724768.tif 000003
【図２】
0003724768.tif 000004
【図３】
0003724768.tif 000005
【図４】
0003724768.tif 000006
【図５】
0003724768.tif 000007
【図６】
0003724768.tif 000008
【図７】
0003724768.tif 000009